【手続補正書】
【提出日】平成28年8月19日(2016.8.19)
【手続補正１】
【補正対象書類名】特許請求の範囲
【補正対象項目名】全文
【補正方法】変更
【補正の内容】
【特許請求の範囲】
【請求項１】
二次電池の過去の運用ごとに、当該運用における二次電池の稼働時間と当該稼働時間における前記二次電池の劣化率とを関連付けて記憶する記憶部と、
二次電池の過去の運用ごとに、当該運用に係る値に基づいて、前記稼働時間を正規化する等価係数を算出する等価係数算出部と、
前記記憶部が各運用及び各劣化率に関連付けて記憶する各稼働時間について、当該稼働時間と、当該稼働時間に係る運用に係る前記等価係数とに基づいて、正規化された前記稼働時間である等価稼働時間を算出する等価稼働時間算出部と、
前記等価稼働時間と、当該等価稼働時間の算出に用いた稼働時間に関連付けて前記記憶部が記憶する劣化率とに基づいて、前記等価稼働時間と劣化率との関係を示す劣化関数を算出する劣化関数算出部と
を備える劣化関数算出装置。
【請求項２】
前記等価係数算出部は、前記記憶部が記憶する劣化率と、当該劣化率に関連付けられた稼働時間に基づいて算出される等価稼働時間及び前記劣化関数から求められる劣化率との間の散布度が小さくなるように前記等価係数を生成する
請求項１に記載の劣化関数算出装置。
【請求項３】
前記等価稼働時間算出部は、前記稼働時間を運用状態ごとの部分稼働時間に分け、各部分稼働時間に運用状態に応じた等価係数を乗じ、その総和を算出することで、前記等価稼働時間を算出する
請求項１または請求項２に記載の劣化関数算出装置。
【請求項４】
二次電池の稼働時間及び当該二次電池の運用に係る値の入力を受け付ける入力部と、
入力を受け付けた運用に係る値に基づいて前記稼働時間を正規化する等価係数を算出する等価係数算出部と、
入力を受け付けた稼働時間と前記等価係数とに基づいて、正規化された稼働時間である等価稼働時間を算出する等価稼働時間算出部と、
二次電池の過去の運用に係る等価稼働時間と当該運用における前記二次電池の劣化率に基づいて算出された劣化関数であって等価稼働時間と二次電池の劣化率との関係を示す劣化関数と、算出された前記等価稼働時間とに基づいて、前記二次電池の劣化率を推定する劣化率推定部と
を備える劣化率推定装置。
【請求項５】
前記劣化率推定部は、請求項１から請求項３の何れか１項に記載の劣化関数算出装置の劣化関数算出部が算出した劣化関数と、算出された前記等価稼働時間とに基づいて、前記二次電池の劣化率を推定する
請求項４に記載の劣化率推定装置。
【請求項６】
二次電池の劣化率の推定に用いる劣化関数を算出する劣化関数算出方法であって、
劣化関数算出装置が、二次電池の過去の運用ごとに、当該運用に係る値に基づいて、二次電池の稼働時間を正規化する等価係数を算出するステップと、
前記劣化関数算出装置が、二次電池の過去の運用ごとに、当該運用における二次電池の稼働時間と当該稼働時間における前記二次電池の劣化率とを関連付けて記憶する記憶部に、各運用及び各劣化率に関連付けて記憶された各稼働時間について、当該稼働時間と、当該稼働時間に係る運用に係る前記等価係数とに基づいて、正規化された前記稼働時間である等価稼働時間を算出するステップと、
前記劣化関数算出装置が、前記等価稼働時間と、当該等価稼働時間の算出に用いた稼働時間に関連付けて前記記憶部が記憶する劣化率とに基づいて、前記等価稼働時間と劣化率との関係を示す劣化関数を算出するステップと
を有する劣化関数算出方法。
【請求項７】
二次電池の劣化率推定方法であって、
劣化率推定装置が、二次電池の稼働時間及び当該二次電池の運用に係る値の入力を受け付けるステップと、
前記劣化率推定装置が、入力を受け付けた運用に係る値に基づいて前記稼働時間を正規化する等価係数を算出するステップと、
前記劣化率推定装置が、入力を受け付けた稼働時間と前記等価係数とに基づいて、正規化された稼働時間である等価稼働時間を算出するステップと、
前記劣化率推定装置が、二次電池の過去の運用に係る等価稼働時間と当該運用における前記二次電池の劣化率に基づいて算出された劣化関数であって等価稼働時間と二次電池の劣化率との関係を示す劣化関数と、算出された前記等価稼働時間とに基づいて、前記二次電池の劣化率を推定するステップと
を有する劣化率推定方法。
【請求項８】
コンピュータを、
二次電池の過去の運用ごとに、当該運用における二次電池の稼働時間と当該稼働時間における前記二次電池の劣化率とを関連付けて記憶する記憶部、
二次電池の過去の運用ごとに、当該運用に係る値に基づいて、前記稼働時間を正規化する等価係数を算出する等価係数算出部、
前記記憶部が各運用及び各劣化率に関連付けて記憶する各稼働時間について、当該稼働時間と、当該稼働時間に係る運用に係る前記等価係数とに基づいて、正規化された前記稼働時間である等価稼働時間を算出する等価稼働時間算出部、
前記等価稼働時間と、当該等価稼働時間の算出に用いた稼働時間に関連付けて前記記憶部が記憶する劣化率とに基づいて、前記等価稼働時間と劣化率との関係を示す劣化関数を算出する劣化関数算出部
として機能させるためのプログラム。
【請求項９】
コンピュータを、
二次電池の稼働時間及び当該二次電池の運用に係る値の入力を受け付ける入力部、
入力を受け付けた運用に係る値に基づいて前記稼働時間を正規化する等価係数を算出する等価係数算出部、
入力を受け付けた稼働時間と前記等価係数とに基づいて、正規化された稼働時間である等価稼働時間を算出する等価稼働時間算出部、
二次電池の過去の運用に係る等価稼働時間と当該運用における前記二次電池の劣化率に基づいて算出された劣化関数であって等価稼働時間と二次電池の劣化率との関係を示す劣化関数と、算出された前記等価稼働時間とに基づいて、前記二次電池の劣化率を推定する劣化率推定部
として機能させるためのプログラム。
【請求項１０】
二次電池の過去の運用ごとに、当該運用における二次電池の稼働時間と当該稼働時間における前記二次電池の劣化率とを関連付けて記憶する記憶部と、
二次電池の過去の運用ごとに、当該運用に係る値に基づいて、前記稼働時間を正規化する等価係数を算出する第１の等価係数算出部と、
前記記憶部が各運用及び各劣化率に関連付けて記憶する各稼働時間について、当該稼働時間と、前記第１の等価係数算出部が算出した前記等価係数とに基づいて、正規化された前記稼働時間である等価稼働時間を算出する第１の等価稼働時間算出部と、
前記第１の等価稼働時間算出部が算出した前記等価稼働時間と、当該等価稼働時間の算出に用いた稼働時間に関連付けて前記記憶部が記憶する劣化率とに基づいて、前記等価稼働時間と劣化率との関係を示す劣化関数を算出する劣化関数算出部と、
二次電池の稼働時間及び当該二次電池の運用に係る値の入力を受け付ける入力部と、
入力を受け付けた運用に係る値に基づいて前記稼働時間を正規化する等価係数を算出する第２の等価係数算出部と、
入力を受け付けた稼働時間と、前記第２の等価係数算出部が算出した前記等価係数とに基づいて、正規化された稼働時間である等価稼働時間を算出する第２の等価稼働時間算出部と、
劣化関数算出部が算出した前記劣化関数と、前記第２の等価稼働時間算出部が算出した前記等価稼働時間とに基づいて、前記二次電池の劣化率を推定する劣化率推定部と
を備える劣化率推定システム。
【手続補正２】
【補正対象書類名】明細書
【補正対象項目名】０００９
【補正方法】変更
【補正の内容】
【０００９】
また、第４の態様は、二次電池の稼働時間及び当該二次電池の運用に係る値の入力を受け付ける入力部と、入力を受け付けた運用に係る値に基づいて前記稼働時間を正規化する等価係数を算出する等価係数算出部と、入力を受け付けた稼働時間と前記等価係数とに基づいて、正規化された稼働時間である等価稼働時間を算出する等価稼働時間算出部と、二次電池の過去の運用に係る等価稼働時間と当該運用における前記二次電池の劣化率に基づいて算出された劣化関数であって等価稼働時間と二次電池の劣化率との関係を示す劣化関数と、算出された前記等価稼働時間とに基づいて、前記二次電池の劣化率を推定する劣化率推定部とを備える劣化率推定装置である。
【手続補正３】
【補正対象書類名】明細書
【補正対象項目名】００１２
【補正方法】変更
【補正の内容】
【００１２】
また、第７の態様は、二次電池の劣化率推定方法であって、劣化率推定装置が、二次電池の稼働時間及び当該二次電池の運用に係る値の入力を受け付けるステップと、前記劣化率推定装置が、入力を受け付けた運用に係る値に基づいて前記稼働時間を正規化する等価係数を算出するステップと、前記劣化率推定装置が、入力を受け付けた稼働時間と前記等価係数とに基づいて、正規化された稼働時間である等価稼働時間を算出するステップと、前記劣化率推定装置が、二次電池の過去の運用に係る等価稼働時間と当該運用における前記二次電池の劣化率に基づいて算出された劣化関数であって等価稼働時間と二次電池の劣化率との関係を示す劣化関数と、算出された前記等価稼働時間とに基づいて、前記二次電池の劣化率を推定するステップとを有する劣化率推定方法である。
【手続補正４】
【補正対象書類名】明細書
【補正対象項目名】００１４
【補正方法】変更
【補正の内容】
【００１４】
また、第９の態様は、コンピュータを、二次電池の稼働時間及び当該二次電池の運用に係る値の入力を受け付ける入力部、入力を受け付けた運用に係る値に基づいて前記稼働時間を正規化する等価係数を算出する等価係数算出部、入力を受け付けた稼働時間と前記等価係数とに基づいて、正規化された稼働時間である等価稼働時間を算出する等価稼働時間算出部、二次電池の過去の運用に係る等価稼働時間と当該運用における前記二次電池の劣化率に基づいて算出された劣化関数であって等価稼働時間と二次電池の劣化率との関係を示す劣化関数と、算出された前記等価稼働時間とに基づいて、前記二次電池の劣化率を推定する劣化率推定部として機能させるためのプログラムである。